【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
ベースと、
前記ベースの上に設けられ光源から出射された光ビームを集光して光ディスクに照射する対物レンズを保持するレンズホルダと、
前記レンズホルダからフォーカス方向に対して直交する方向に間隔をおいて前記ベース上に設けられフォーカス方向およびトラッキング方向を含む面に平行する支持板と、
前記レンズホルダと前記支持板とにわたって設けられ、前記支持板に対して前記レンズホルダをフォーカス方向とトラッキング方向とに移動可能に支持する複数のサスペンションワイヤとを備える光ピックアップであって、
前記支持板は可撓性を有し、
前記支持板にダンピング部材が設けられ、
前記支持板が前記サスペンションワイヤの長手方向にたわんだ際に、前記ダンピング部材が変形することで前記レンズホルダの振動が吸収されるように構成されている、
ことを特徴とする光ピックアップ。
【請求項２】
前記レンズホルダと前記支持板との間に、前記ベース上に取着された支持ブロックが設けられ、
前記支持板は前記支持ブロックで支持されている、
ことを特徴とする請求項１記載の光ピックアップ。
【請求項３】
前記レンズホルダと前記支持板との間に、前記ベース上に取着されサスペンションワイヤ挿通孔を有する支持ブロックが設けられ、
前記支持板は前記支持ブロックで支持され、
前記サスペンションワイヤ挿通孔に前記サスペンションワイヤが挿通されている、
ことを特徴とする請求項１記載の光ピックアップ。
【請求項４】
前記レンズホルダと前記支持板との間に、前記ベース上に取着されサスペンションワイヤ挿通孔を有する支持ブロックが設けられ、
前記支持板は前記支持ブロックで支持され、
前記サスペンションワイヤ挿通孔に前記サスペンションワイヤが挿通され、
前記サスペンションワイヤ挿通孔にゲルが充填され、
前記サスペンションワイヤがその長手方向と交差する方向にたわんだ際に、前記ゲルが変形することで前記サスペンションワイヤの長手方向と交差する方向に沿った前記レンズホルダの振動が吸収されるように構成されている、
ことを特徴とする請求項１記載の光ピックアップ。
【請求項５】
前記支持板は、フォーカス方向に対して直交する方向に間隔をおいて複数設けられ、
前記ダンピング部材は前記複数の支持板の間に挟持されている、
ことを特徴とする請求項４記載の光ピックアップ。
【請求項６】
前記レンズホルダは、前記サスペンションワイヤの長手方向に沿った長さと、前記長さと直交する方向の幅を有し、
前記サスペンションワイヤは、前記レンズホルダの幅方向の両側と前記支持板のトラッキング方向の両側との間にそれぞれ設けられ、
前記フォーカス方向に対して直交する方向に沿って前記支持板の両側に臨むように前記ベースから第１の支持ブロックと第２の支持ブロックとが立設され、
前記支持板のトラッキング方向の中央部が前記第１の支持ブロックと前記第２の支持ブロックとにより挟持され、
前記ダンピング部材は、前記支持板の前記中央部の両側において、前記支持板と前記第１の支持ブロックとの間および前記支持板と前記第２の支持ブロックとの間にそれぞれ設けられ前記支持板を挟持している、
ことを特徴とする請求項１記載の光ピックアップ。
【請求項７】
前記第１の支持ブロックは前記レンズホルダと前記支持板との間に位置し、
前記第１の支持ブロックはサスペンションワイヤ挿通孔を有し、
前記サスペンションワイヤ挿通孔に前記サスペンションワイヤが挿通されている、
ことを特徴とする請求項６記載の光ピックアップ。
【請求項８】
前記第１の支持ブロックは前記レンズホルダと前記支持板との間に位置し、
前記第１の支持ブロックはサスペンションワイヤ挿通孔を有し、
前記サスペンションワイヤ挿通孔に前記サスペンションワイヤが挿通され、
前記サスペンションワイヤ挿通孔にゲルが充填され、
前記サスペンションワイヤがその長手方向と交差する方向にたわんだ際に、前記ゲルが変形することで前記レンズホルダの振動が吸収されるように構成されている、
ことを特徴とする請求項６記載の光ピックアップ。
【請求項９】
ベースと、
前記ベースの上に設けられ光源から出射された光ビームを集光して光ディスクに照射する対物レンズを保持するレンズホルダと、
前記レンズホルダを支持する支持機構とを備え、
前記支持機構は、前記ベース上で前記レンズホルダをフォーカス方向とトラッキング方向とに移動可能に支持するサスペンションワイヤを含んで構成された光ピックアップであって、
前記レンズホルダに、フォーカス方向およびトラッキング方向を含む面に平行し可撓性を有しサスペンションワイヤの端部が結合される取り付け板が設けられ、
前記取り付け板にダンピング部材が設けられ、
前記取り付け板が前記サスペンションワイヤの長手方向にたわんだ際に、前記ダンピング部材が変形することで前記レンズホルダの振動が吸収されるように構成されている、
ことを特徴とする光ピックアップ。
【請求項１０】
前記取り付け板は、フォーカス方向に対して直交する方向に間隔をおいて２枚設けられ、
前記ダンピング部材は前記２枚の取り付け板の間に挟持されている、
ことを特徴とする請求項９記載の光ピックアップ。
【請求項１１】
前記レンズホルダからフォーカス方向に対して直交する方向に間隔をおいた前記ベースの箇所にフォーカス方向およびトラッキング方向を含む面に平行し可撓性を有する支持板が設けられ、
前記レンズホルダと前記支持板との間に、前記ベース上に取着されサスペンションワイヤ挿通孔を有する支持ブロックが設けられ、
前記支持板は前記支持ブロックで支持され、
前記サスペンションワイヤは、前記サスペンションワイヤ挿通孔に挿通されて前記取り付け板と前記支持板とにわたって設けられている、
ことを特徴とする請求項９記載の光ピックアップ。
【請求項１２】
前記レンズホルダからフォーカス方向に対して直交する方向に間隔をおいた前記ベースの箇所にフォーカス方向およびトラッキング方向を含む面に平行し可撓性を有する支持板が設けられ、
前記レンズホルダと前記支持板との間に、前記ベース上に取着されサスペンションワイヤ挿通孔を有する支持ブロックが設けられ、
前記支持板は前記支持ブロックで支持され、
前記サスペンションワイヤは、前記サスペンションワイヤ挿通孔に挿通されて前記取り付け板と前記支持板とにわたって設けられ、
前記サスペンションワイヤ挿通孔にゲルが充填され、
前記サスペンションワイヤがその長手方向と交差する方向にたわんだ際に、前記ゲルが変形することで前記サスペンションワイヤの長手方向と交差する方向に沿った前記レンズホルダの振動が吸収されるように構成されている、
ことを特徴とする請求項９記載の光ピックアップ。
【請求項１３】
タンジェンシャル方向において前記取り付け板の両側の前記レンズホルダの箇所に固定板が設けられ、
前記ダンピング部材は前記両側の固定板と前記取り付け板との間にそれぞれ挟持されて設けられている、
ことを特徴とする請求項９記載の光ピックアップ。
【請求項１４】
前記レンズホルダからフォーカス方向に対して直交する方向に間隔をおいた前記ベースの箇所にフォーカス方向およびトラッキング方向を含む面に平行し可撓性を有する支持板が設けられ、
前記サスペンションワイヤは、前記取り付け板と前記支持板とにわたって設けられている、
ことを特徴とする請求項１３記載の光ピックアップ。
【請求項１５】
前記レンズホルダからフォーカス方向に対して直交する方向に間隔をおいた前記ベースの箇所にフォーカス方向およびトラッキング方向を含む面に平行し可撓性を有する支持板が設けられ、
前記レンズホルダと前記支持板との間に、前記ベース上に取着されサスペンションワイヤ挿通孔を有する支持ブロックが設けられ、
前記支持板は前記支持ブロックで支持され、
前記サスペンションワイヤは、前記サスペンションワイヤ挿通孔に挿通されて前記取り付け板と前記支持板とにわたって設けられている、
ことを特徴とする請求項１３記載の光ピックアップ。
【請求項１６】
前記レンズホルダからフォーカス方向に対して直交する方向に間隔をおいた前記ベースの箇所にフォーカス方向およびトラッキング方向を含む面に平行し可撓性を有する支持板が設けられ、
前記レンズホルダと前記支持板との間に、前記ベース上に取着されサスペンションワイヤ挿通孔を有する支持ブロックが設けられ、
前記支持板は前記支持ブロックで支持され、
前記サスペンションワイヤは、前記サスペンションワイヤ挿通孔に挿通されて前記取り付け板と前記支持板とにわたって設けられ、
前記サスペンションワイヤ挿通孔にゲルが充填され、
前記サスペンションワイヤがその長手方向と交差する方向にたわんだ際に、前記ゲルが変形することで前記レンズホルダの振動が吸収されるように構成されている、
ことを特徴とする請求項１３記載の光ピックアップ。
【請求項１７】
ベースと、
前記ベースの上に設けられ光源から出射された光ビームを集光して光ディスクに照射する対物レンズを保持するレンズホルダと、
前記レンズホルダの支持機構とを備え、
前記支持機構は、前記ベース上で前記レンズホルダをフォーカス方向とトラッキング方向とに移動可能に支持するサスペンションワイヤを含んで構成された光ピックアップであって、
前記支持機構は、前記サスペンションワイヤの長手方向に沿った前記レンズホルダの振動を吸収するダンピング部材を含んで構成されている、
ことを特徴とする光ピックアップ。
【請求項１８】
光ディスクを保持して回転駆動する駆動手段と、
前記駆動手段によって回転駆動する光ディスクに対し記録および／または再生用の光ビームを照射し、前記光ディスクで反射された反射光ビームを検出する光ピックアップとを有する光ディスク装置であって、
前記光ピックアップは、
前記光ディスクのトラッキング方向に移動されるベースと、
前記ベースの上に設けられ光源から出射された光ビームを集光して前記光ディスクに照射する対物レンズを保持するレンズホルダと、
前記レンズホルダからフォーカス方向に対して直交する方向に間隔をおいて前記ベース上に設けられフォーカス方向およびトラッキング方向を含む面に平行する支持板と、
前記レンズホルダと前記支持板とにわたって設けられ、前記支持板に対して前記レンズホルダをフォーカス方向とトラッキング方向とに移動可能に支持する複数のサスペンションワイヤとを備え、
前記支持板は可撓性を有し、
前記支持板にダンピング部材が設けられ、
前記支持板が前記サスペンションワイヤの長手方向にたわんだ際に、前記ダンピング部材が変形することで前記レンズホルダの振動が吸収されるように構成されている、
ことを特徴とする光ディスク装置。
【請求項１９】
光ディスクを保持して回転駆動する駆動手段と、
前記駆動手段によって回転駆動する光ディスクに対し記録および／または再生用の光ビームを照射し、前記光ディスクで反射された反射光ビームを検出する光ピックアップとを有する光ディスク装置であって、
前記光ピックアップは、
前記光ディスクのトラッキング方向に移動されるベースと、
前記ベースの上に設けられ光源から出射された光ビームを集光して前記光ディスクに照射する対物レンズを保持するレンズホルダと、
前記レンズホルダを支持する支持機構とを備え、
前記支持機構は、前記ベース上で前記レンズホルダをフォーカス方向とトラッキング方向とに移動可能に支持するサスペンションワイヤを含んで構成され、
前記レンズホルダに、フォーカス方向およびトラッキング方向を含む面に平行し可撓性を有しサスペンションワイヤの端部が結合される取り付け板が設けられ、
前記取り付け板にダンピング部材が設けられ、
前記取り付け板が前記サスペンションワイヤの長手方向にたわんだ際に、前記ダンピング部材が変形することで前記レンズホルダの振動が吸収されるように構成されている、
ことを特徴とする光ディスク装置。
【請求項２０】
光ディスクを保持して回転駆動する駆動手段と、
前記駆動手段によって回転駆動する光ディスクに対し記録および／または再生用の光ビームを照射し、前記光ディスクで反射された反射光ビームを検出する光ピックアップとを有する光ディスク装置であって、
前記光ピックアップは、
前記光ディスクのトラッキング方向に移動されるベースと、
前記ベースの上に設けられ光源から出射された光ビームを集光して前記光ディスクに照射する対物レンズを保持するレンズホルダと、
前記レンズホルダの支持機構とを備え、
前記支持機構は、前記ベース上で前記レンズホルダをフォーカス方向とトラッキング方向とに移動可能に支持するサスペンションワイヤを含んで構成され、
前記支持機構は、前記レンズホルダの振動を吸収するダンピング部材を含んで構成されている、
ことを特徴とする光ディスク装置。